(57)【要約】【課題】  プルアウト水栓の水受けトレイから洗面ボウル内へ水を排出することにより、漏水の発見を可能とする。  【解決手段】  本発明では、洗面ボウルと、前記洗面ボウルの後部上方に設けられた立面に形成された水栓取付面と、供給された水の吐止水の切替および流量の調整を行う水栓本体と、水栓取付面から引き出されるプルアウト水栓と、前記水栓本体と前記プルアウト水栓とを接続するフレキシブルホースを有する洗面化粧台であって、前記水栓取付面の背面に、前記プルアウト水栓に付着した水を受ける水受けトレイを備え、前記水受けトレイの内部から前記洗面ボウル内へ接続された排出流路を有することを特徴とする。【選択図】  図１０
2014015740.tif 000002
【特許請求の範囲】
【請求項１】
洗面ボウルと、
前記洗面ボウルの後部上方に設けられた立面に形成された水栓取付面と、
供給された水の吐止水の切替および流量の調整を行う水栓本体と、
水栓取付面から引き出されるプルアウト水栓と、
前記水栓本体と前記プルアウト水栓とを接続するフレキシブルホースを有する洗面化粧台であって、前記水栓取付面の背面に、前記フレキシブルホースに付着した水を受ける水受けトレイを備え、前記水受けトレイの内部から前記洗面ボウル内へ接続された排出流路を有することを特徴とする洗面化粧台。
【請求項２】
前記フレキシブルホースが、前記水受けトレイに収納されることを特徴とする請求項１に記載の洗面化粧台。
【請求項３】
前記水受けトレイが、前記フレキシブルホースの前記水栓本体側端部の下方を覆うことを特徴とする請求項１または２の何れか１項に記載の洗面化粧台。
【請求項４】
前記水受けトレイが、前記フレキシブルホースの前記プルアウト水栓側端部の下方を覆うことを特徴とする請求項１または３の何れか１項に記載の洗面化粧台。
【請求項５】
前記洗面ボウル内に、洗面ボウルの排水経路と連通したオーバーフロー経路を有し、
前記排出流路の前記洗面ボウルとの接続箇所が、前記オーバーフロー経路の前記洗面ボウルとの接続箇所よりも上方に設けられていることを特徴とする請求項１〜４の何れか１項に記載の洗面化粧台。
【発明の詳細な説明】
【技術分野】
【０００１】
本発明は、洗面化粧台に係り、特にプルアウト式の水栓を備えた洗面化粧台に関する
【背景技術】
【０００２】
従来、洗面化粧台において、ボウルの周囲の水平な位置に水栓を設けた所謂台付き水栓を備えた洗面化粧台が知られている。
しかしながら、このタイプの洗面化粧台において、設置面の周りに水が溜まりやすく、この水が原因で水垢やカビが生えやすい環境となってしまうという課題が存在した。
【０００３】
近年の清潔志向の高まりや洗面行為のし易さから洗面化粧台に取り付けられる水栓は上述の台付き水栓から、立面に水栓を取り付ける所謂壁付き水栓にシフトしてきている。
また、水栓として、洗髪や洗面ボウルの清掃に使いやすい引出し式ハンドシャワータイプの水栓を備えるものが知られている。（例えば特許文献１）  
【０００４】
このとき、壁付き水栓の設置形態としては、洗面ボウルの背後から立ち上がったバック面に直接固定されているタイプ、あるいは水栓が取り付いたパネルを洗面器のバックガードに設置して壁に固定するタイプ、水栓が取り付いたボックスを洗面器上のキャビネットに固定するタイプなどが知られている。
【０００５】
洗面器のバック面に直接固定されているタイプのハンドシャワー壁付き水栓では、ハンドシャワーに付着した水を回収する為に、洗面器のバックにホースを覆う水受けトレイを設けることが行われている。（例えば特許文献１）
この水受けトレイに水が一定以上溜まった場合、トレイ下端に接続された給水ホースより、使用者によって貯水を排水するというメンテナンス操作が必要となっていた。
【０００６】
この点を、改良するために、水受けトレイと、洗面ボウルの排水を接続して、水受けトレイ内の水が自動的に下水へ排水される構造とした洗面化粧台も提案されている。（特許文献２）
しかしこの洗面化粧台では、給水二次側の施工接続部や、メンテナンス時のシャワーヘッド接続部から大量漏水した場合に、水を排水することはできるが、使用者が異変に気付かずに長期間にわたり、漏水した状態となってしまうなどの問題が生じていた。
【先行技術文献】
【特許文献】
【０００７】
【特許文献１】特開平９−２５０１５３公報
【特許文献２】特開２００８−１２５９２４
【発明の概要】
【発明が解決しようとする課題】
【０００８】
本発明は、上記問題を解決するためになされたもので、メンテナンスが不要で、かつ設備不良などで大量漏水が発生した際に、異常漏水を発見可能な洗面化粧台である。
【課題を解決するための手段】
【０００９】
上記目的を達成するための請求項１記載の発明は洗面ボウルと、前記洗面ボウルの後部上方に設けられた立面に形成された水栓取付面と、供給された水の吐止水の切替および流量の調整を行う水栓本体と、水栓取付面から引き出されるプルアウト水栓と、前記水栓本体と前記プルアウト水栓とを接続するフレキシブルホースを有する洗面化粧台であって、 前記水栓取付面の背面に、前記フレキシブルホースに付着した水を受ける水受けトレイを備え、 前記水受けトレイの内部から前記洗面ボウル内へ接続された排出流路を有することを特徴とする洗面化粧台である。
このように構成された本発明によると、水受けトレイに貯水した水が一定以上になった場合に、自動的に排水されるため、使用者が水受けトレイ内部の水を手動で排水する必要がない。さらに、この排水が使用者の目に留まる洗面ボウル内部に排水されるため、接続不良や破損などによる漏水が発生した場合に、使用者が異常漏水を検知することが可能となる。
【００１０】
また、本発明において好ましくは、さらに、前記フレキシブルホースが、前記水受けトレイに収納される。
このように構成された本発明によると、シャワーホース全体が水受けトレイ内部に収納されることで、引き出して使用した際にフレキシブルホースに付着した水滴も確実に水受けトレイで受けることが可能となる。さらに、先端の吐水部に付着した水滴がフレキシブルホースを伝った場合であっても同様に水受けトレイで確実に受けることが可能となる。
【００１１】
また、本発明において好ましくは、さらに、前記水受けトレイが、前記フレキシブルホースの前記水栓本体側端部の下方を覆う。
このように構成された本発明によると、現場で施工されるために漏水の可能性のある水栓本体とフレキシブルホースとの接続箇所から漏水した場合であっても、水受けトレイで漏水を受けることが可能となり、フロアキャビネットや建物そのものに被害が拡大することを抑制できる。
【００１２】
また、本発明において好ましくは、さらに、前記水受けトレイが、前記フレキシブルホースの前記プルアウト水栓側端部の下方を覆う。
フレキシブルホースとプルアウト水栓の接続箇所は現場でメンテナンスのために着脱される可能性があり、漏水の恐れがある。この箇所の下部を水受けトレイで覆うことによって、万が一漏水が発生した場合であっても、水受けトレイで漏水を受けることが可能となり、フロアキャビネットや建物そのものに被害が拡大することを抑制できる。
【００１３】
また、本発明において好ましくは、更に、前記洗面ボウル内に、洗面ボウルの排水経路と連通したオーバーフロー経路を有し、前記排出流路の前記洗面ボウルとの接続箇所が、前記オーバーフロー経路の前記洗面ボウルとの接続箇所よりも上方に設けられている。
このように構成された本発明によると、洗面ボウル内部に水を溜めた場合であっても、水面が排出流路出口に到達する前に、オーバーフロー孔より排水され始めるため、排出流路出口から水受けトレイ内部へ水が逆流してしまい、洗面化粧台の後ろで漏水がおこってしまうことを抑制することが可能となる。
【発明の効果】
【００１４】
本発明によれば、メンテナンスが不要で、かつ設備不良などで大量漏水が発生した際に、早期に異常漏水を発見可能な洗面化粧台が提供される。
【図面の簡単な説明】
【００１５】
【図１】本発明の実施例における洗面化粧台１の斜視図である。
【図２】本発明の実施例におけるプルアウト水栓４の正面図である。
【図３】本発明の実施例におけるプルアウト水栓４の背面斜視図である。
【図４】本発明の実施例における洗面化粧台１の背面からみた水受けトレイ６近傍の背面図である。
【図５】本発明の実施例における水受けトレイ６を透明とした透視図である。
【図６】本発明の実施例における水受けトレイ６の透視斜視図である。
【図７】本発明の実施例における水受けトレイ６及び水栓取付面３２の断面図である。
【図８】本発明の実施例における排出経路８近傍の拡大断面図である。
【図９】本発明の実施例における水栓取付面３２のプルアウト水栓４近傍の斜視図である。
【図１０】本発明の実施例における洗面ボウル３の斜視図である。
【図１１】本発明の実施例におけるオーバーフロー経路９１の断面図である。
【発明を実施するための形態】
【００１６】
以下に、本発明の実施形態を図を用いながら説明する。
図１は本発明の実施例における洗面化粧台１の斜視図である。洗面化粧台１はフロアキャビネット２１とミラーキャビネット２２から構成されており、フロアキャビネット２２の上部には樹脂性の洗面ボウル３が備えられている。
洗面ボウル３はプルアウト水栓４から吐水される水を受けるボウル部３１を備えており、洗面ボウル３の後部には、水栓取付面３２が垂直に立ち上がるように形成されている。また、ボウル部３１の左右には、一体的にカウンター部３３が形成されており、タオルや化粧道具などを載置することが可能に形成されている。また、ボウル部３１の底部には排水管１０と接続された排水口３４が設けられている。
水栓取付面３２には湯水を吐水するためのプルアウト水栓４が形成されている。
【００１７】
図２に本発明の実施例におけるプルアウト水栓４の正面図を、図３に本発明の実施例におけるプルアウト水栓４の背面斜視図をそれぞれ、示す。
シャワーヘッド４１は通常使用時は水栓取付面３２に支持された状態となっており、ボウル部３１へ向かって吐水するように構成されている。シャワーヘッド４１は、その上流をフレキシブルホース５によって接続されており、ボウル部３自身の清掃を行う際や、洗髪を行う再にはシャワーヘッド４１を水栓取付面３２からボウル部３１側へ引き出すことによって、使用者の手元で吐水を行うことが可能となる。
また、シングルレバー水栓本体４２は一般的に知られているシングルレバー水栓と同等である。その上流に設けられた給水配管７２および給湯配管７１からの給水、給湯を受けて混合量および流量を調整して、吐止水を行う。具体的にはシングルレバー４３の左右回動操作によって湯水の混合量を調整することによる温度調整、シングルレバー４３の前後方向への移動によって流量の調整を行うことが可能となっている。
【００１８】
水栓取付面３２の背面には、プルアウト水栓４のシャワーヘッド４１が水栓取付面３２に取り付いた状態でフレキシブルホース５が格納される略直方体形状の水受けトレイ６が設けられている。シャワーヘッド４１を引き出してハンドシャワーとして利用する際には、シャワーヘッド４１およびフレキシブルホース５へ水滴が付着することがある。その後、水滴が付着したままシャワーヘッド４１が水栓取付面３２に取り付けられた場合であっても、フレキシブルホース５自身に付着した水滴および、シャワーヘッド４１に付着しフレキシブルホース５を伝って流れおちる水滴をこの水受けトレイ６で受けることが可能となる。
【００１９】
図４に本発明の実施例における洗面化粧台１の背面からみた水受けトレイ６近傍の背面図、図５に本発明の実施例における水受けトレイ６を透明とした透視図を、それぞれ示す。
水受けトレイ６はシングルレバー水栓本体４２と接続された湯水混合配管７３とフレキシブルホース５との接続箇所である本体接続部５１の下方も覆うように設けられている。本体接続部５１は洗面化粧台１の施工時に、工事業者などの施工者によって接続される部位となっている。従って、工場出荷時に接続されるその他の接続箇所と比較して、漏水が発生する可能性が高くなると考えられる。しかしながら、水受けトレイ６を本体接続部５１を覆うように設けることによって、この本体接続部５１から漏水した場合であっても水受けトレイ６で漏水を受けることが可能となり、洗面化粧台１の背後で漏水が発見されて被害が拡大してしまう恐れを低減することができる。
【００２０】
さらに、水受けトレイ６は、プルアウト水栓４のシャワーヘッド４１とフレキシブルホース５との接続部であるシャワーヘッド接続部５２の下方をも覆うように設けられている。シャワーヘッド接続部５２は、洗面化粧台１の使用者や工事業者が、例えば水の出が悪い、シャワーヘッドから吐水される水が不規則な方向に飛ぶなどといった不具合の際に、メンテナンスのためにシャワーヘッド４１とホース部５を二つに分解して点検することがある。その際に、再接続が不完全であった場合、このシャワーヘッド接続部５２から漏水してしまうことが考えられる。水受けトレイ６がシャワーヘッド接続部５２の下方を覆うように設けられていることによって、万が一漏水した場合であっても、水受けトレイ６で漏水を受けることが可能となり、洗面化粧台１の背後で漏水が発見されて被害が拡大してしまう恐れを低減することができる。
【００２１】
図６に本発明の実施例における水受けトレイ６の透視斜視図を、図７に水受けトレイ６及び水栓取付面３２の断面図を、図８に排出経路８近傍の拡大断面図に示す。
水受けトレイ６には、その内面に、洗面ボウル３へ接続された流入孔８１を有している。流入孔８１に進入した水は、水受けトレイ６、洗面ボウル３の水栓取付面３２に連続して形成された排出経路８を通じて、洗面ボウル３の水栓取付面３２に設けられた流出孔８２へ流出する。
このとき、排出経路８には、水受けトレイ６の一部が挿入される形となっており、水受けトレイ６と水栓取付面３２の隙間から漏水することを抑制している。この箇所は、シール部材などで適宜水密にシールされていてもよい。
【００２２】
図９に本発明の実施例における水栓取付面３２のプルアウト水栓４近傍の斜視図を示す。
ここに示したように、シャワーヘッド４１下方の水栓取付面３２には、流出孔８２が設けられている。
具体的には、漏水などにより水受けトレイ６に水がたまり始め、水位が流入孔８１に達すると、図示していない排出流路８へ水がながれこみ、流出孔８２から水が洗面ボウル３へ流入し始める。これにより、水受けトレイから水があふれてフロアキャビネット２１や建物に水が溢れ出すことを防止できる。また、漏水などで急激に水位が上昇した場合、流出孔８２から使用者の目に付く洗面ボウル３へ急激に水が流れだすため、使用者は異常を感知することが可能となる。
【００２３】
図１０に本発明の実施例における洗面ボウル３の斜視図を、図１１にオーバーフロー経路９１の断面図を示す。
ここに示したように、洗面ボウル３のボウル部３１にはオーバーフロー孔９が設けられている。ボウル部３１の配水口３４を一般的に知られているポップアップ水栓や、ゴム栓でふさぐことによって、ボウル部３１に水をためることが可能となる。
図１１に示すように、オーバーフロー孔９はオーバーフロー経路９１を通じて排水管１０と接続されている。従って、ボウル部３１への貯水を開始し、水位がオーバーフロー孔９に達すると、水はオーバーフロー経路９１を通じて排水管１０の下流に位置する下水配管へ流出していくこととなる。
【００２４】
このとき、図１０に示すようにオーバーフロー孔９は流出孔８２よりも下位に設けられている。このように構成することによって、ボウル部３１へ貯水を行った場合であっても、流出孔８２から水が浸入し、水受けトレイ６へ水が逆流することを抑制することが可能となる。また、水受けトレイ６から水が溢れ出した際にボウル３１の排水口３４がふさがれている場合であってもオーバーフロー孔９を通じて排水管１０へ流入させることが可能となる。
【００２５】
以上、本発明について実施例に沿って説明を行ったが、本発明は実施例に縛れるものではなく、適宜変更を加えてもよい。たとえば、フロアキャビネット２１やミラーキャビネット２２、洗面ボウル３などのデザイン、収納スペースについては適宜変更を加えてもよい。また、プルアウト水栓４についても、デザイン、温度、流量の調整方法などは好適なものを選択し、変更を加えてもよい。
【符号の説明】
【００２６】
１      洗面化粧台
２１    フロアキャビネット
２２    ミラーキャビネット
３      洗面ボウル
３１    ボウル部
３２    水栓取付面
３３    カウンター部
３４    排水口
４      プルアウト水栓
４１    シャワーヘッド
４２    シングルレバー水栓本体
４３    シングルレバー
５      フレキシブルホース
５１    本体接続部
５２    シャワーヘッド接続部
６      水受けトレイ
７１    給湯配管
７２    給水配管
８      排出流路
８１    流入孔
８２    流出孔（排出流路の洗面ボウルとの接続箇所）
９      オーバーフロー孔（オーバーフロー経路の前記洗面ボウルとの接続箇所）
９１    オーバーフロー経路
１０    排水管
【図１】
2014015740.tif 000003
【図２】
2014015740.tif 000004
【図３】
2014015740.tif 000005
【図４】
2014015740.tif 000006
【図５】
2014015740.tif 000007
【図６】
2014015740.tif 000008
【図７】
2014015740.tif 000009
【図８】
2014015740.tif 000010
【図９】
2014015740.tif 000011
【図１０】
2014015740.tif 000012
【図１１】
2014015740.tif 000013